(57)【要約】【課題】            照明器具本体と、蓋体の開閉を確実に行うことができ、長期間安全に実施することができる照明器具を提供することを課題とする。【解決手段】        透光板を支持してなる照明器具本体11に、蓋体１３を開閉自在に軸着し、蓋体の一端に、係止爪２２を有する係止体２０を回動自在に支持してある。また、照明器具本体の係止爪との対応個所に係合片３０を設けて構成し、さらに蓋体の係止体との対応面に弾性体２３を配置し、係止体がロックされない限り、弾性体が係止体を押圧するように構成してある。弾性体は例えば線状のバネ材や板バネで構成してある。【選択図】          図２
2005129282.tif 000002
【特許請求の範囲】
【請求項１】
透光板を支持してなる照明器具本体に、蓋体を開閉自在に軸着してなる照明器具において、蓋体の一端に、係止爪を有する係止体を回動自在に支持し、一方照明器具本体の係止爪との対応個所に係合片を設けて構成し、また蓋体の係止体との対応面に弾性体を配置し、係止体がロックされない限り、弾性体が係止体を押圧するように構成したことを特徴とする照明器具。
【請求項２】
弾性体は線状のバネ材で構成し、蓋体の係止体との対応面に配置して構成したことを特徴とする請求項１記載の照明器具。
【請求項３】
弾性体は板バネで構成し、蓋体の係止体との対応面に配置して構成したことを特徴とする請求項１記載の照明器具。
【請求項４】
透光板を支持してなる照明器具本体に、蓋体を開閉自在に軸着してなる照明器具において、照明器具本体の一端に、係止爪を有する係止体を回動自在に支持し、一方蓋体の係止爪との対応個所に係合片を設けて構成し、また照明器具本体の係止体との対応面に弾性体を配置し、係止体がロックされない限り、弾性体が係止体を押圧するように構成したことを特徴とする照明器具。
【請求項５】
弾性体は線状のバネ材で構成し、照明器具本体の係止体との対応面に配置して構成したことを特徴とする請求項４記載の照明器具。
【請求項６】
弾性体は板バネで構成し、照明器具本体の係止体との対応面に配置して構成したことを特徴とする請求項４記載の照明器具。
【発明の詳細な説明】
【技術分野】
【０００１】
本発明は照明器具の改良に関し、特に安全性を増大することができる照明器具の開閉機構の改良に関する。
【背景技術】
【０００２】
従来、図１１に示すように、照明器具本体１に透光板２を支持し、また同照明器具本体１の上面に、蓋体３を開閉自在に軸着してなる照明器具が実施されている。また照明器具本体１に対して蓋体３を軸着した他端側にて、蓋体３に回動自在に支持してなる係止体４を照明器具本体１の係合片５に係合し、蓋体３を照明器具本体１にロックすることが実施されている。
照明器具本体に、透光板を支持してなる蓋体を開閉自在に軸着してなる特許文献としては、特表平１１ー５１２８７３号(特許文献１)がある。
【０００３】
【特許文献１】特表平１１ー５１２８７３号(図１)
【０００４】
ところで、上記した図１１に示す構造によると、係止体４が照明器具本体１の係合片５に確実に係合してある場合は、蓋体３が開くことはないが、両者の係合が不完全であると、振動により、照明器具本体と蓋体との間に隙間が生じ、強風等により照明器具本体と蓋体との隙間から風が入り込み、蓋体が開く恐れがある。
また、係止体４が照明器具本体１の係合片５に確実に係合してないと、確実に係合してある場合、外観上差がなく、取付け現場において、確実に係合してない場合に確実に係合されているものと誤判断するおそれが生じる危険性がある。
【発明の開示】
【発明が解決しようとする課題】
【０００５】
本発明が解決しようとする課題は、照明器具本体の係合片が蓋体の係止体に確実に係合されているか否か外観上判断することができ、誤判断を生じる恐れがなく確実且つ安全に実施することができる照明器具を提供することを課題とする。
【課題を解決するための手段】
【０００６】
請求項１に示す本発明は、透光板を支持してなる照明器具本体に、蓋体を開閉自在に軸着してなる照明器具に関する。
また蓋体の一端に、係止爪を有する係止体を回動自在に支持し、一方照明器具本体の係止爪との対応個所に係合片を設けて構成してある。
また蓋体の係止体との対応面に弾性体を配置し、係止体がロックされない限り、弾性体が係止体を押圧するように構成してある。
【０００７】
請求項２に記載の発明は請求項１記載の弾性体を線状のバネ材で構成し、蓋体の係止体との対応面に配置して構成してある。
【０００８】
請求項３に記載の発明は請求項１記載の弾性体を板バネで構成し、蓋体の係止体との対応面に配置して構成してある。
【０００９】
請求項４に記載の発明は透光板を支持してなる照明器具本体に、蓋体を開閉自在に軸着してなる照明器具に関し、蓋体の一端に、係止爪を有する係止体を回動自在に支持し、一方照明器具本体の係止爪との対応個所に係合片を設けて構成してある。
また照明器具本体の係止体との対応面に弾性体を配置し、係止体がロックされない限り、弾性体が係止体を押圧するように構成してある。
【００１０】
請求項５に記載の発明は請求項４に記載の発明を弾性体は板バネで構成し、照明器具本体の係止体との対応面に配置して構成してある。
【００１１】
請求項６に記載の発明は請求項４に記載の弾性体を板バネで構成し、照明器具本体の係止体との対応面に配置して構成してある。
【発明の効果】
【００１２】
上記した請求項１乃至請求項６に記載の発明によると、係止体と係合片との係合が不完全であると、係止体が弾性体により押圧されて、係合が不完全であることが外観上容易に判断することができ、ロックの係合について誤判断するおそれがなく、照明器具本体と蓋体は確実にロックされ長期間安全に実施することができる。
【発明を実施するための最良の形態】
【００１３】
以下本発明を実施するための最良の形態を図１乃至図１０について説明する。
【実施例１】
【００１４】
図１は、本発明に係る照明器具の概略側面観図である。同図において、１１は照明器具本体であって、枠型に構成してある。１２は照明器具本体１１の前端に設けてなる前面ガラス、１３は照明器具本体１１に開閉自在に軸着してなる蓋体である。１４は蓋体１３に固定してなる反射鏡であって、蓋体１３と一緒に開閉する。１５は照明器具本体１１の一端内部に固定してなるソケット、１６はソケット１５に装着してなる光源であって、例えば２５０ワットの高圧放電ランプを用いて構成してある。
【００１５】
図２は、本発明に係る照明器具の斜視図であって、蓋体１３を開いた状態を示す。図３は、照明器具の係合部の一部拡大斜視図である。図４は、図３とは異なる角度から視認した照明器具の係合部の一部拡大斜視図である。図５は照明器具の係合部の一部拡大側面図である。図６は弾性体の外観図である。図２乃至図６において、２０は蓋体１３の一端に回動自在に支持してなる係止体であって、両端を支持バネ２１で支持し、蓋体１３に設けてある。また係止体２０の先端近傍に係止爪２２を構成してある。２３は蓋体１３の係止体２０の対応面に設けてなる弾性体であって、図６に示すように、線状のバネ材で構成してある。
【００１６】
３０は図５に示すように、蓋体１３の係止体２０との対応個所であって、照明器具本体１１に設けてなる係合片であって、先端を鉤状に構成してある。また蓋体１３を照明器具本体１１に対して閉じる際に、蓋体１３の係止体２０の係止爪２２を係合片３０に係合し、かかる後係止体２０を閉じて行くと、係止体２０は弾性体２３により押圧され、さらに係止体２０を閉じると弾性体２３は図６に示すように変形し、ロックされる。従がって、係止体２０は確実にロックされない限り、弾性体２３により押圧され、係止体２０は一部開いた状態であることが確認できる。
【実施例２】
【００１７】
図７は他の実施例である。図７に示す弾性体４１は、コイルバネ状に構成し、同コイルバネを蓋体１３の係止体２０の対応面に設けて構成してある。他の構造は実施例１に示す構造と同じである。
【実施例３】
【００１８】
図８は他の実施例である。図８に示す弾性体５１は、板バネ状に構成し、同板バネを蓋体１３の係止体２０の対応面に設けて構成してある。また同板バネは、図８に示すＶ字形状の他、くの字形状の曲面を有し、且つ係止体２０より若干小さく構成し、係止体２０の内面に装着して構成してもよい。他の構造は実施例１に示す構造と同じである。また上記した弾性体は、金属の他、樹脂やゴム材で構成してもよい。
【００１９】
次に照明器具本体と蓋体との開閉作業を説明する。
(１)内部にソケット１５や端子台等の電気部品を設けてなる照明器具本体１１に対して蓋体１３を閉じるには、先ず蓋体１３の係止体２０の係止爪２２を照明器具本体１１の係合片３０に係合する。
(２)次に、係止体２０を閉じていくと、係止体２０の内壁は弾性体２３により押圧される。
(３)次に、係止体２０を閉じると弾性体２３は変形し、さらに押圧するとロックされ作業を終了する。
(４)締め付け作業終了段階において、係止体２０の締め付けが不完全であると、係止体２０は弾性体２３により押圧され、係止体２０は一部開いた状態になるので、再度確認し、締め付け作業を繰り返す。従がって、従来の構造のように、作業者が照明器具本体１１に対してロックが不完全であるにもかかわらず、完全であると誤判断することはなく、長期間照明器具を安全に実施することができる。
(５)照明器具本体１１に対して閉じた蓋体１３を開くには、蓋体１３の係止体２０を開き、さらに蓋体１３の係止爪２２を照明器具本体１１の係合片３０から外し、開くことができる。
【実施例４】
【００２０】
次に他の実施例を図９と図１０について説明する。図９と図１０に示す照明器具は、実施例１に示す照明器具と異なり、照明器具本体１１に、先端近傍に係止爪６２を有する係止体６１を設けてある。６３は蓋体１３の係止体６１の対応面に設けてなる弾性体であって、図６に示すような線状のバネ材で構成してある。また線状のバネ材に変えて実施例１と同様に、コイルバネあるいは板バネで構成してもよい。
実施例４に示す構造によっても、実施例１乃至実施例３に示す構造と同様に、長時間安全に使用することができる。
【図面の簡単な説明】
【００２１】
【図１】本発明に係る照明器具の概略側面観図。
【図２】図１に示す照明器具の蓋体を開いたときの一部省略斜視図。
【図３】図２に示す照明器具の係合部の一部拡大斜視図。
【図４】図３に示す照明器具とは異なる角度から視認したときの係合部の一部拡大斜視図。
【図５】照明器具の係合部の一部拡大側面図。
【図６】弾性体の外観図。
【図７】他の弾性体を取り付けたときの照明器具におけるの実施例図。
【図８】他の弾性体を取り付けたときの照明器具におけるの他の実施例図。
【図９】係止体を照明器具に取り付けたときの一部拡大断面図。
【図１０】係止体を照明器具に取り付けたときの可動過程を示す一部拡大断面図。
【図１１】従来の照明器具の側面図。
【符号の説明】
【００２２】
１１  照明器具本体
１２  前面ガラス
１３  蓋体
１４  反射鏡
１５  ソケット
１６  光源
２０  係止体
２１  支持バネ
２２  係止爪
２３  弾性体
３０  係合片
４１  弾性体
５１  弾性体
６１  係止体
６２  係止爪
６３  弾性体
【図１】
2005129282.tif 000003
【図２】
2005129282.tif 000004
【図３】
2005129282.tif 000005
【図４】
2005129282.tif 000006
【図５】
2005129282.tif 000007
【図６】
2005129282.tif 000008
【図７】
2005129282.tif 000009
【図８】
2005129282.tif 000010
【図９】
2005129282.tif 000011
【図１０】
2005129282.tif 000012
【図１１】
2005129282.tif 000013